(57)【要約】【課題】  本発明は、中古のリレーの寿命も正確に管理し得るリレー寿命管理サーバを提供する。【解決手段】  本発明に係る、負荷機器への通電をオンオフ制御するリレーの寿命を管理すると共にリレーの寿命をネットワークを介して通信可能に接続する入出力装置に提示するリレー寿命管理サーバ１は、リレーの寿命回数を記憶するＲｙ寿命管理ＤＢ記憶部と、リレーの制御回数を積算する制御回数積算部及び制御回数積算部で取得したリモコンリレー１０５の制御回数がＲｙ寿命管理ＤＢ記憶部に記憶する寿命回数以上であるか否かを判定する寿命判定部であるＲｙ寿命管理処理部１１１と、寿命判定部で判定した結果リレーの制御回数が寿命回数以上である場合に寿命を入出力装置２に提示する提示部及び制御回数積算部で積算する制御回数の初期値を入出力装置２から受付けて制御回数積算部の初期値に設定する初期値設定部であるウェブ処理部１１２とを備える。【選択図】      図３
2006253010.tif 000002
【特許請求の範囲】
【請求項１】
負荷機器の通電をオンオフ制御するリレーの寿命を管理すると共に前記リレーの寿命をネットワークを介して通信可能に接続する入出力装置に提示するリレー寿命管理サーバにおいて、
前記リレーの寿命回数を記憶する寿命回数記憶部と、
前記リレーの制御回数を積算する制御回数積算部と、
前記制御回数積算部で取得したリレーの制御回数が前記寿命回数記憶部に記憶する寿命回数以上であるか否かを判定する寿命判定部と、
前記寿命判定部で判定した結果、前記リレーの制御回数が前記寿命回数以上である場合に、寿命を前記入出力装置に提示する提示部と、
前記制御回数積算部で積算する制御回数の初期値を前記入出力装置から受付けて前記制御回数積算部の初期値に設定する初期値設定部を備えること
を特徴とするリレー寿命管理サーバ。
【請求項２】
負荷機器への通電をオンオフ制御するリレーと、入力操作に応じて操作信号を送信する操作端末器と、前記リレーを駆動する制御子機と、前記操作端末器から受信した操作信号に応じて前記制御子機に制御信号を送信して前記リレーを駆動することで前記負荷機器の通電をオンオフ制御する制御親機とを備え、前記操作端末機、前記制御子機及び前記制御親機を一対の信号線から成る通信線で通信可能に接続する制御システムにおける、前記リレーの寿命を管理すると共に前記リレーの寿命をネットワークを介して通信可能に接続する入出力装置に提示するリレー寿命管理サーバにおいて、
前記リレーの寿命回数を記憶する寿命回数記憶部と、
前記リレーの制御回数を積算する制御回数積算部と、
前記制御回数積算部で取得したリレーの制御回数が前記寿命回数記憶部に記憶する寿命回数以上であるか否かを判定する寿命判定部と、
前記寿命判定部で判定した結果、前記リレーの制御回数が前記寿命回数以上である場合に、寿命を前記入出力装置に提示する提示部と、
前記制御回数積算部で積算する制御回数の初期値を前記入出力装置から受付けて前記制御回数積算部の初期値に設定する初期値設定部を備えること
を特徴とするリレー寿命管理サーバ。
【請求項３】
前記提示部は、前記寿命判定部で判定した結果、前記リレーの制御回数が前記寿命回数以上である場合に、寿命提示用の負荷機器への通電をオンオフ制御するリレーを制御することによって寿命を前記寿命提示用の負荷機器に提示すること
を特徴とする請求項１又は請求項２に記載のリレー寿命管理サーバ。
【請求項４】
前記寿命回数記憶部は、前記寿命回数より小さい数値である寿命予告回数をさらに記憶し、
前記制御回数積算部で積算したリレーの制御回数が前記寿命回数記憶部に記憶する寿命予告回数以上であるか否かを判定する寿命予告判定部をさらに備え、
前記提示部は、前記寿命予告判定部で判定した結果、前記リレーの制御回数が前記寿命予告回数以上である場合に、寿命予告を前記入出力装置に提示すること
を特徴とする請求項１乃至請求項３の何れか１項に記載のリレー寿命管理サーバ。
【請求項５】
前記寿命回数及び／又は前記寿命予告回数を前記入出力装置から受付けて前記寿命回数記憶部の寿命回数及び／又は寿命予告回数に設定する寿命設定部をさらに備えること
を特徴とする請求項１乃至請求項４の何れか１項に記載のリレー寿命管理サーバ。
【請求項６】
前記提示部は、前記寿命判定部で判定した結果、前記リレーの制御回数が前記寿命回数以上である場合に、寿命を前記入出力装置にさらに提示するものであって、前記寿命と前記寿命予告とを互いに異なる方法で提示すること
を特徴とする請求項３乃至請求項５の何れか１項に記載のリレー寿命管理サーバ。
【発明の詳細な説明】
【技術分野】
【０００１】
本発明は、リレーの寿命を管理するリレー寿命管理サーバに関する。
【背景技術】
【０００２】
従来、照明機器等の負荷機器を集中的に監視及び制御する監視制御システムが開発されている。このような監視制御システムは、例えば、負荷機器と、負荷機器の通電を制御するリレーと、リレーを駆動する監視制御子機と、入力操作を受付けて入力操作を送信する操作端末器と、操作端末器からの入力操作に応じて監視制御子機に制御信号を送信することによってリレーを制御すると共に監視制御子機から監視信号を受信することによってリレーの動作状態を監視する監視制御親機とを備えて構成される。
【０００３】
このようなリレーを用いて負荷機器をオンオフする監視制御システムでは、主接点の溶着や回路の断線等によってリレーが寿命を迎えて動作不能となると、監視制御親機から負荷機器を制御することができなくなってしまう。そのため、リレーが動作不能となる前に正常動作のリレーと交換することが望まれる。リレーを製造するメーカは、通常、リレーの開閉動作を保証する回数を定格値でユーザに開示しているが、ユーザは、個々のリレーの開閉回数を計数することは現実的ではないので、実際には、リレーが動作不能となった場合や所定期間が経過した場合に交換していた。
【０００４】
そこで、より的確にリレーの寿命を管理するために、例えば、特許文献１には、監視制御親機がリレーの開閉回数やオン時間等の状態値を計測し、例えば上記定格値を閾値として、この計測した状態値がこの閾値以上になった場合に、リレーの寿命を報知するシステムが開示されている。また、この特許文献１には、寿命を報知する代わりに、閾値を定格値未満とすることで寿命予測を報知し得ることが開示されている。
【特許文献１】特開平６−０８６３６０号公報
【発明の開示】
【発明が解決しようとする課題】
【０００５】
ところで、リレーを交換する場合、新品のリレーではなく中古のリレーを用いる場合もある。このような場合、特許文献１に開示の技術では、新品のリレーと交換されることを前提として状態値を計測してリレーの寿命を判定しているため、寿命を誤判定してしまう。
【０００６】
本発明は、上述の事情に鑑みて為された発明であり、リレーの寿命をより的確に判断することができるリレー寿命管理サーバを提供することを目的とする。
【課題を解決するための手段】
【０００７】
上述の目的を達成するために、本発明の一態様に係る、負荷機器の通電をオンオフ制御するリレーの寿命を管理すると共に前記リレーの寿命をネットワークを介して通信可能に接続する入出力装置に提示するリレー寿命管理サーバは、前記リレーの寿命回数を記憶する寿命回数記憶部と、前記リレーの制御回数を積算する制御回数積算部と、前記制御回数積算部で取得したリレーの制御回数が前記寿命回数記憶部に記憶する寿命回数以上であるか否かを判定する寿命判定部と、前記寿命判定部で判定した結果、前記リレーの制御回数が前記寿命回数以上である場合に、寿命を前記入出力装置に提示する提示部と、前記制御回数積算部で積算する制御回数の初期値を前記入出力装置から受付けて前記制御回数積算部の初期値に設定する初期値設定部を備えることを特徴とする。
【０００８】
また、本発明の他の一態様に係る、負荷機器への通電をオンオフ制御するリレーと、入力操作に応じて操作信号を送信する操作端末器と、前記リレーを駆動する制御子機と、前記操作端末器から受信した操作信号に応じて前記制御子機に制御信号を送信して前記リレーを駆動することで前記負荷機器の通電をオンオフ制御する制御親機とを備え、前記操作端末機、前記制御子機及び前記制御親機を一対の信号線から成る通信線で通信可能に接続する制御システムにおける、前記リレーの寿命を管理すると共に前記リレーの寿命をネットワークを介して通信可能に接続する入出力装置に提示するリレー寿命管理サーバは、前記リレーの寿命回数を記憶する寿命回数記憶部と、  前記リレーの制御回数を積算する制御回数積算部と、前記制御回数積算部で取得したリレーの制御回数が前記寿命回数記憶部に記憶する寿命回数以上であるか否かを判定する寿命判定部と、前記寿命判定部で判定した結果、前記リレーの制御回数が前記寿命回数以上である場合に、寿命を前記入出力装置に提示する提示部と、前記制御回数積算部で積算する制御回数の初期値を前記入出力装置から受付けて前記制御回数積算部の初期値に設定する初期値設定部を備えることを特徴とする。
【０００９】
そして、これら上述のリレー寿命管理サーバにおいて、前記提示部は、前記寿命判定部で判定した結果、前記リレーの制御回数が前記寿命回数以上である場合に、寿命提示用の負荷機器への通電をオンオフ制御するリレーを制御することによって寿命を前記寿命提示用の負荷機器に提示することを特徴とする。
【００１０】
また、これら上述のリレー寿命管理サーバにおいて、前記寿命回数記憶部は、前記寿命回数より小さい数値である寿命予告回数をさらに記憶し、前記制御回数積算部で積算したリレーの制御回数が前記寿命回数記憶部に記憶する寿命予告回数以上であるか否かを判定する寿命予告判定部をさらに備え、前記提示部は、前記寿命予告判定部で判定した結果、前記リレーの制御回数が前記寿命予告回数以上である場合に、寿命予告を前記入出力装置に提示することを特徴とする。
【００１１】
さらに、これら上述のリレー寿命管理サーバにおいて、前記寿命回数及び／又は前記寿命予告回数を前記入出力装置から受付けて前記寿命回数記憶部の寿命回数及び／又は寿命予告回数に設定する寿命設定部をさらに備えることを特徴とする。
【００１２】
また、これら上述のリレー寿命管理サーバにおいて、前記提示部は、前記寿命判定部で判定した結果、前記リレーの制御回数が前記寿命回数以上である場合に、寿命を前記入出力装置にさらに提示するものであって、前記寿命と前記寿命予告とを互いに異なる方法で提示することを特徴とする。
【発明の効果】
【００１３】
このような構成のリレー寿命管理サーバは、初期値設定部で、制御回数の初期値を設定することができるので、新品のリレーではなく中古のリレーを交換した場合でも、リレーの寿命を的確に判断することができる。このため、リレーを有効に活用することができる。
【発明を実施するための最良の形態】
【００１４】
以下、本発明に係る実施形態を図面に基づいて説明する。なお、各図において同一の符号を付した構成は、同一の構成であることを示し、その説明を省略する。
【００１５】
（実施形態の構成）
図１は、実施形態に係るリレー寿命管理システムの構成を示す図である。図２は、第２のネットワークにおける信号の波形図である。図３は、実施形態に係るリレー寿命管理サーバの構成を示すブロック図である。図４は、リレー制御履歴データベースの構成を示す図である。図５は、リレー寿命管理データベースの構成を示す図である。
【００１６】
図１において、リレー寿命管理システムＡは、リレー寿命管理サーバ１と、入出力装置２と、監視制御システム３とを備えて構成され、リレー寿命管理サーバ１と入出力装置２とは、第１のネットワーク４を介して通信可能に接続され、リレー寿命管理サーバ１と監視制御システム３とは、例えば一対の信号線から成る通信線を備えて構成される第２のネットワーク５を介して通信可能に接続される。
【００１７】
監視制御システム３は、負荷機器を監視及び制御するシステムであり、例えば、伝送ユニット１０１と、１又は複数のターミナルユニット（以下、「Ｔ／Ｕ」と略記する。）１０２と、スイッチユニット１０３と、負荷機器の一例である１又は複数の照明機器（ＬＤ）１０６と、照明機器１０６に対応して設けられたリモコンリレー（Ｒｙ）１０５とを備えて構成され、伝送ユニット１０１とＴ／Ｕ１０２とスイッチユニット１０３とは、第２のネットワーク５を介して互いに通信可能に接続されている。図１に示す例では、４個の照明機器１０６−１〜１０６−４が示されており、これに応じて４個のリモコンリレー１０５−１〜１０５−４が備えられている。ここで、本明細書において、総称する場合には添え字を省略した参照符号で示し、個別の構成を指す場合には添え字を付した参照符号で示す。
【００１８】
リモコンリレー１０５は、リレーの一例であり、Ｔ／Ｕ１０２の制御によって電源１０４から照明機器１０６への通電をオンオフ制御すると共に、リモコンリレー１０５のオンオフの動作状態（オンオフ状態）を照明機器１０６の点消灯の動作状態（点消灯状態）としてＴ／Ｕ１０２へ出力する。
【００１９】
Ｔ／Ｕ１０２は、制御子機の一例であり、第２のネットワーク５を介して伝送ユニット１０１から受信した信号に応じてリモコンリレー１０５を個別に駆動すると共にリモコンリレー１０５のオンオフ状態（言い換えれば、照明機器１０６の点消灯状態）を第２のネットワーク５を介して伝送ユニット１０１に送信する監視制御子機である。Ｔ／Ｕ１０２は、１又は複数のリモコンリレー１０５を駆動可能に構成されており、図１に示す例では、１個のＴ／Ｕ１０２が４個のリモコンリレー１０５を駆動可能であることから、この照明監視制御システム３は、リモコンリレー１０５−１〜１０５−４を駆動する１個のＴ／Ｕ１０２を備えている。
【００２０】
スイッチユニット１０３は、操作端末器の一例であり、操作者によって操作（オンオフ操作）等が行われると共に照明機器１０６の点消灯状態を表示する操作表示端末器である。スイッチユニット１０３は、例えば、操作者の操作を受付ける１又は複数（図９では４個）のスイッチＳＷ（ＳＷ−１〜ＳＷ−４）と、スイッチＳＷに対応してスイッチＳＷに近接して設けられ、点消灯状態を表示する例えば発光ダイオード等の発光素子を備える表示部ＤＳ（ＤＳ−１〜ＤＳ−４）とを備えて構成される。そして、各スイッチＳＷには、スイッチＳＷのアドレス（スイッチアドレス）がそれぞれ割り付けられており、スイッチＳＷが操作されると当該操作が為された旨の通知（スイッチ状態）及び自機のアドレスとを含む信号を第２のネットワーク５を介して伝送ユニット１０１に送信するようにされており、各スイッチＳＷによって、各照明機器１０６を個別に制御したり、グループ制御したり、パターン制御したりというような多様な制御が可能になっている。
【００２１】
伝送ユニット１０１は、制御親機の一例であり、スイッチユニット１０３から第２のネットワーク５を介して送信された信号に応じてＴ／Ｕ１０２及びリモコンリレー１０５を介して照明機器１０６の通電をオンオフ制御すると共に照明機器１０６のオンオフ状態を監視する監視制御親機である。伝送ユニット１０１は、スイッチユニット１０３の各スイッチＳＷのスイッチアドレスと、各照明機器１０６に割り付けられた照明機器１０６のアドレス（負荷アドレス）とを対応付ける対応テーブル、及び、リモコンリレー１０５のオンオフ状態（照明機器１０６の点消灯状態）を示す動作状態テーブルを記憶している。スイッチユニット１０３のスイッチＳＷが操作者によって操作され当該スイッチＳＷのスイッチアドレスを含む信号を受信すると、伝送ユニット１０１は、スイッチアドレスに基づいて対応テーブルから制御対象の１又は複数の照明機器１０６を検索し、この検索した照明機器１０６の現在の動作状態を動作状態テーブルから検索し、そして、この照明機器１０６を現在の動作状態とは逆の動作状態となるようにこの照明機器１０６に対応するリモコンリレー１０５を駆動することによって照明機器１０６の通電をオンオフ制御する。負荷アドレスは、例えば、Ｔ／Ｕ１０２に割り当てられた番号（負荷チャンネル）と、リモコンリレー１０５を接続するＴ／Ｕ１０２の接続端子（接続ポート）に割り当てられた番号（負荷ナンバー）とから構成されている。例えば、Ｔ／Ｕ１０２の負荷チャンネルが「００」で照明機器１０６−１の通電を制御するリモコンリレー１０５−１が接続される接続端子の負荷ナンバーが「０１」にされている場合には、照明機器１０６−１の負荷アドレスは、「０００１」である。
【００２２】
第２のネットワーク５を伝送する上記信号について説明すると、伝送ユニット１０１からＴ／Ｕ１０２及びスイッチユニット１０３へ送信される信号は、例えば、図２（Ａ）に示すように、信号送出開始を示すスタートパルス信号ＳＴと、信号モードを示すモードデータ信号ＭＤと、各Ｔ／Ｕ１０２及びスイッチユニット１０３を呼出す８ビットのアドレスデータ信号ＡＤと、負荷機器を制御するための制御データ信号ＣＤと、誤り制御のためのチェックサムデータ信号ＣＳと、Ｔ／Ｕ１０２及びスイッチユニット１０３からの返信待機信号ＷＴとを備えて構成されている±２４Ｖの交流の時分割多重信号であり、パルス幅変調によってデータが伝送されるようになっている。
【００２３】
一方、各Ｔ／Ｕ１０２およびスイッチユニット１０３では、第２のネットワーク５を介して伝送された上記信号のアドレスデータ信号ＡＤと自機に予め設定されているアドレスとを比較し、一致する場合にその信号の制御データ信号ＣＤを取込むと共に、返送待機信号ＷＴの期間に、スイッチ状態、監視データ、負荷動作確認データなどの監視データ信号を、第２のネットワーク５を構成する通信線における一対の信号線間に低抵抗を接続して得られる電流モードの信号で返信する。このような動作を、予め定める周期毎にＴ／Ｕ１０２及びスイッチユニット１０３に対して行っている。また、Ｔ／Ｕ１０２やスイッチユニット１０３から送信すべきデータが生じると、Ｔ／Ｕ１０２やスイッチユニット１０３は、図２（Ｂ）で示すように、スタートパルス信号ＳＴに同期した割り込み信号Ｖｉを伝送ユニット１０１に送信する。伝送ユニット１０１では、この割込み信号Ｖｉを受信すると、モードデータ信号ＭＤをアドレス確認モードに設定した信号を第２のネットワーク５に送信することにより、この割り込み信号Ｖｉを発生させた端末（Ｔ／Ｕ１０２やスイッチユニット１０３）を検出してアクセスし、監視データ信号を返信させる。
【００２４】
リレー寿命管理サーバ１は、第２のネットワーク５を伝送する信号に基づいて監視制御システム３における各リモコンリレー１０５の寿命をそれぞれ管理するサーバコンピュータである。リレー寿命管理サーバ１は、例えば、図３に示すように、中央処理部１１と、第１通信インタフェース部１２と、内部記憶部１３と、外部記憶部１４と、補助記憶部１５と、第２通信インタフェース部１６と、バス１７とを備えて構成される。
【００２５】
第１通信インタフェース部１２は、第２のネットワーク５に接続され、第２のネットワーク５を介した通信を行う回路であり、中央処理部１１からのデータに基づいて監視制御システム３の上記フォーマットの信号を生成して第２のネットワーク５へ送出すると共に第２のネットワーク５からの信号を中央処理部１１が処理可能な形式のデータに変換する。
【００２６】
内部記憶部１３は、本リレー寿命管理サーバ１の動作に必要な各種プログラム、及び、各種プログラムの実行に必要なデータやその実行中に生じるデータ等の各種データを記憶する。内部記憶部１３は、例えば、中央処理部１１の所謂ワーキングメモリとなるＲＡＭ（Random Access Memory）等の揮発性の記憶素子、ＲＯＭ（Read Only Memory）や書換え可能なＥＥＰＲＯＭ（Electrically Erasable Programmable Read Only Memory）等の不揮発性の記憶素子等を備えて構成される。
【００２７】
外部記憶部１４は、例えば、フレキシブルディスク、ＣＤ−Ｒ（Compact Disc Recordable）及びＤＶＤ−Ｒ（Digital Versatile Disc Recordable）等の記録媒体との間でデータの読み書きを行う装置であり、例えば、フレキシブルディスクドライブ、ＣＤ−Ｒドライブ及びＤＶＤ−Ｒドライブ等である。
【００２８】
補助記憶部１５は、例えばハードディスク等の比較的大容量の記憶装置であり、機能的に、リレー制御履歴データベース（以下、「Ｒｙ制御履歴ＤＢ」と略記する。）を記憶するリレー制御履歴データベース記憶部（以下、「Ｒｙ制御履歴ＤＢ記憶部」と略記する。）１５１と、リレー寿命管理データベース（以下、「Ｒｙ寿命管理ＤＢ」と略記する。）を記憶するリレー寿命管理データベース記憶部（以下、「Ｒｙ寿命管理ＤＢ記憶部」と略記する。）１５２と、ウェブページ雛型ファイルを記憶するウェブページ記憶部１５３とを備える。
【００２９】
Ｒｙ制御履歴ＤＢは、伝送ユニット１０１のリモコンリレー１０５に対する制御に関するデータを蓄積するデータベースであり、本実施形態では、伝送ユニット１０１がリモコンリレー１０５を制御した時とその制御の積算回数とを対応付けた情報を蓄積するデータベースである。例えば、図４に示すように、Ｒｙ制御履歴ＤＢ２０は、伝送ユニット１０１がリモコンリレー１０５を制御した年月日を登録する制御年月日フィールド２２、伝送ユニット１０１がリモコンリレー１０５を制御した時刻を登録する制御時分フィールド２３、及び、伝送ユニット１０１がリモコンリレー１０５を制御した回数の積算値を登録する制御積算回数フィールド２４の各フィールドを備え、伝送ユニット１０１がリモコンリレー１０５を制御するごとにレコードが作成される。そして、Ｒｙ制御履歴ＤＢ２０は、リモコンリレー１０５ごとに作成され、各リモコンリレー１０５に対応付けるために、負荷アドレスを登録する負荷アドレス登録欄２１を備える。照明機器１０６とリモコンリレー１０５とは、一対一の対応関係があるため、負荷アドレスによってリモコンリレー１０５が一意に特定可能である。なお、リモコンリレー１０５の制御回数は、オン及びオフを個別に１回と数えてもよいし、オン及びオフで１回と数えてもよいし、オンのみを数えてもよいし、オフのみを数えてもよい。
【００３０】
Ｒｙ寿命管理ＤＢは、リモコンリレー１０５の寿命を判定するために必要なデータを蓄積するデータベースであり、本実施形態では、リモコンリレー１０５を特定し識別する識別子として機能する負荷アドレスと、リモコンリレー１０５が伝送ユニット１０１によって制御された回数の積算値である制御積算回数と、リモコンリレー１０５の制御に関する寿命を示す寿命回数と、リモコンリレー１０５が寿命回数に達する前に寿命予告を行うタイミングを示す警告余裕回数と、リモコンリレー１０５の制御回数の計測を開始した年月日である計測開始年月日と、使用済み（中古）のあるリモコンリレー１０５を管理対象とした場合に制御済みの回数を示すオフセット回数とを対応付けた情報である。例えば、図５に示すように、Ｒｙ寿命管理ＤＢ３０は、負荷アドレスを登録する負荷アドレスフィールド３１、制御積算回数を登録する制御積算回数フィールド３２、寿命回数を登録する寿命回数フィールド３３、警告余裕回数を回数単位で登録する警告余裕回数（回数）フィールド３４、警告余裕回数を百分率（％）で登録する警告余裕回数（％）フィールド３５、計測開始年月日を登録する計測開始年月日フィード３６、及び、オフセット回数を登録するオフセット回数フィールド３７の各フィールドを備え、負荷アドレス（リモコンリレー１０５）ごとにレコードが作成される。警告余裕回数（回数）は、リモコンリレー１０５が寿命回数フィールド３３に登録されている寿命回数に達するまでに制御可能な回数であり、寿命回数からこの警告余裕回数（回数）を減算した値が寿命予告回数である。警告余裕回数（％）は、リモコンリレー１０５が寿命回数フィールド３３に登録されている寿命回数に対する、該寿命回数に達するまでに制御可能な回数の百分率である。即ち、警告余裕回数（％）は、（警告余裕回数（回数）／寿命回数）×１００である。
【００３１】
このように補助記憶部１５は、寿命回数を直接記憶し、寿命予告回数を間接的に記憶しており、寿命回数記憶部として機能している。
【００３２】
ウェブページ雛型ファイルは、Ｒｙ寿命管理ＤＢの登録データを用いて後述のウェブページファイルを作成するための雛型となるファイルであり、例えば、ＨＴＭＬやＸＭＬ等のマークアップ言語を用いて作成される。このウェブページ雛型ファイルにＲｙ制御履歴ＤＢ２０やＲｙ寿命管理ＤＢ３０に基づくデータを適用することによって所望のウェブページファイルが作成される。
【００３３】
図３に戻って、第２通信インタフェース部１６は、第１のネットワーク４に接続され、第１のネットワーク４を介して入出力装置２と通信を行う回路であり、中央処理部１１からのデータに基づいて第１のネットワーク４の通信プロトコルに従った信号を生成して第１のネットワーク４へ送出すると共に第１のネットワーク４からの信号を中央処理部１１が処理可能な形式のデータに変換する。
【００３４】
中央処理部１１は、例えばマイクロプロセッサ及びその周辺回路を備えて構成され、リレー寿命管理サーバ１における各部の当該機能に応じた制御を司るもので、機能的に、リレー寿命管理処理部（以下、「Ｒｙ寿命管理処理部」と略記する。）１１１と、ウェブ処理部１１２と、カレンダ部１１３と、グラフ作成部１１４と、ＣＳＶファイル作成部１１５とを備える。
【００３５】
Ｒｙ寿命管理処理部１１１は、後述の動作により、リモコンリレー１０５の寿命を個別に管理する処理を行う。ウェブ処理部１１２は、後述の動作により、入出力装置２から入力されたデータをＲｙ寿命管理ＤＢに登録すると共に、Ｒｙ制御履歴ＤＢ２０やＲｙ寿命管理ＤＢ３０の登録データに基づくデータをウェブページ雛型ファイルに用いて、入出力装置２の要求に応じたウェブページファイルを作成して入出力装置２にウェブページを表示させる処理を行う。カレンダ部１１３は、暦（年月日）と時刻（時分）とを計時する。グラフ作成部１１４は、Ｒｙ制御履歴ＤＢ２０やＲｙ寿命管理ＤＢ３０の登録データを用いてグラフを作成し、この作成したグラフをウェブページ雛型ファイルに用いて、入出力装置２の要求に応じたウェブページファイルを作成して入出力装置２にウェブページを表示させる処理を行う。ＣＳＶファイル作成部１１５は、Ｒｙ寿命管理ＤＢの登録データのＣＳＶ形式のファイルを作成し、この作成したＣＳＶ形式のファイルを外部記憶部１４に出力し、記録媒体に書き込む処理を行う。
【００３６】
そして、これら中央処理部１１、第１通信インタフェース部１２、内部記憶部１３、外部記憶部１４、補助記憶部１５及び第２通信インタフェース部１６は、データを相互に交換することができるようにバス１７でそれぞれ接続される。
【００３７】
図１に戻って、第１のネットワーク４は、有線又は無線の伝送路によって構成される通信網である。第１のネットワーク４は、例えば、１０ＢＡＳＥ−Ｔ等の有線媒体又は赤外線や電波等の無線媒体を用いて構築されたローカル・エリア・ネットワーク（以下、「ＬＡＮ」と略記する。）である。また例えば、第１のネットワーク４は、電話網、ディジタル通信網及び無線通信網等である。第１のネットワーク４の通信プロトコルとして、例えば、ＨＴＴＰ（Hyper Text Transfer Protocol）、ＦＴＰ（File Transfer Protocol）及びＴＣＰ／ＩＰ（Transmission Control Protocol/Internet Protocol）等のインターネットプロトコル群が用いられ、第１のネットワーク４は、イントラネット又はインターネットを構成する。
【００３８】
入出力装置２は、第１のネットワーク４を介してリレー寿命管理サーバ１に通信可能に接続され、リモコンリレー１０５の寿命を管理するために必要なデータを受付けてこのデータをリレー寿命管理サーバ１に登録すべく送信すると共に、リレー寿命管理サーバ１からリモコンリレー１０５の寿命に関するデータを受信して表示する端末であり、例えばウェブページを閲覧するためのウェブブラウザを備えた通信機能付きのコンピュータである。
【００３９】
次に、本実施形態の動作について説明する。
（実施形態の動作）
例えば、施工者は、図１に示すように、伝送ユニット１０１、Ｔ／Ｕ１０２、スイッチユニット１０３、リモコンリレー１０５、照明機器１０６及び第２のネットワーク５を用いて監視制御システム３を配設し、第２のネットワーク５にリレー寿命管理サーバ１を通信可能に接続する。また、入出力装置２を第１のネットワーク４を介してリレー寿命管理サーバ１に通信可能に接続する。
【００４０】
先ず、リレー寿命管理サーバ１に監視制御システム３のリモコンリレー１０５の寿命を管理させるべく、必要なデータをリレー寿命管理サーバ１に登録する場合について説明する。
【００４１】
施工者は、入出力装置２のウェブブラウザを起動し、リレー寿命管理サーバ１が提供するリレー寿命管理のホームページにおけるＵＲＬ（Uniform Resource Locator）を入出力装置２に入力してリレー寿命管理メニュー画面を表示させる。
【００４２】
図６は、リレー寿命管理メニュー画面の構成を示す図である。このリレー寿命管理メニュー画面は、リレー寿命管理サーバ１が提供するリレー寿命管理におけるサービスの項目（メニュー）を選択するためのウェブページ画面である。このリレー寿命管理メニュー画面４０は、例えば、図６に示すように、メニューバー４１と、ＵＲＬを入力するためのアドレスバー４２と、本画面のタイトル（例えば“リレー寿命管理メニュー”）を表示するタイトル部４３と、リレー寿命管理サーバ１にリモコンリレー１０５の寿命を管理させるために必要なデータを入出力装置２を介してリレー寿命管理サーバ１に登録可能にする指示を入出力装置２に入力するための指示入力部である「データ入力」ボタン４４−１と、リレー寿命管理サーバ１が管理している監視制御システム３のリモコンリレー１０５の寿命に関するデータを、入出力装置２に表示させる指示を入出力装置２に入力するための指示入力部である「データ表示」ボタン４４−２とを備えて構成される。
【００４３】
施工者は、リレー寿命管理サーバ１にリモコンリレー１０５の寿命を管理させるために必要なデータをリレー寿命管理サーバ１に登録すべく、「データ入力」ボタン４４−１を例えばキーボードやマウス等の入出力装置２における入力デバイスを用いて操作する。
【００４４】
「データ入力」ボタン４４−１が操作されると、入出力装置２は、リレー寿命管理データ入力画面のウェブページファイルを要求する信号（データ入力要求信号）をリレー寿命管理サーバ１に送信する。このデータ入力要求信号を受信するとリレー寿命管理サーバ１の中央処理部１１におけるウェブ処理部１１２は、補助記憶部１５のウェブページ記憶部１５３に記憶されているリレー寿命管理データ入力画面に対応するウェブページファイルを入出力装置２に返信する。ウェブページファイルを受信すると、入出力装置２は、リレー寿命管理データ入力画面を表示する。
【００４５】
図７は、リレー寿命管理データ入力画面の構成を示す図である。このリレー寿命管理データ入力画面は、リレー寿命管理サーバ１にリモコンリレー１０５の寿命を管理させるために必要なデータを入力してリレー寿命管理サーバ１に送信及び登録するためのウェブページ画面である。リレー寿命管理データ入力画面５０は、例えば、図７に示すように、メニューバー５１と、アドレスバー５２と、本画面のタイトル（例えば“リレー寿命管理データ入力”）を表示するタイトル部５３と、Ｒｙ寿命管理ＤＢ３０の各フィールドに対応して、管理対象のリモコンリレー１０５を特定するためにこのリモコンリレー１０５に対応する負荷アドレスを入力するための負荷アドレス入力部５５−１と、このリモコンリレー１０５の寿命回数を入力するための寿命回数入力部５５−２と、このリモコンリレー１０５の警告余裕回数（回数）を入力するための警告余裕回数（回数）入力部５５−３と、このリモコンリレー１０５の警告余裕回数（％）を入力するための警告余裕回数（％）入力部５５−４と、このリモコンリレー１０５の計測開始年月日を入力するための計測開始年月日入力部５５−５と、このリモコンリレー１０５のオフセット回数（制御回数の初期値）を入力するためのオフセット回数入力部５５−６と、リレー寿命管理メニュー画面４０を入出力装置２に表示させる指示を入力する指示入力部である「メニュー」ボタン５４−１と、このリレー寿命管理データ入力画面５０を用いて入力した前のデータを入出力装置２に表示させる指示を入出力装置２に与えるための指示入力部である「前データ」ボタン５４−２と、このリレー寿命管理データ入力画面５０を用いて入力した後のデータを入出力装置２に表示させる指示を入出力装置２に与えるための指示入力部である「後データ」ボタン５４−３と、上記各入力部５５−１〜５５−６に入力したデータを消去して新規データの入力を受付け可能とする指示を入出力装置２に与えるための指示入力部である「新規入力」ボタン５４−４と、上記各入力部５５−１〜５５−６に入力したデータを削除する指示を入出力装置２に与えるための指示入力部である「削除」ボタン５４−５と、上記各入力部５５−１〜５５−６に入力したデータを一時的に保持する指示を入出力装置２に与えるための指示入力部である「更新」ボタン５４−６と、このリレー寿命管理データ入力画面５０を用いて入力したデータをリレー寿命管理サーバ１に送信する指示を入力するデータ送信指示入力部である「入力データ送信」ボタン５４−７とを備えて構成される。
【００４６】
施工者は、リレー寿命管理サーバ１に管理させたいリモコンリレー１０５における負荷アドレス、寿命回数、警告余裕回数（回数）、警告余裕回数（％）、計測開始年月日及びオフセット回数の各データを、リレー寿命管理データ入力画面５０における負荷アドレス入力部５５−１、寿命回数入力部５５−２、警告余裕回数（回数）入力部５５−３、警告余裕回数（％）入力部５５−４、計測開始年月日入力部５５−５及びオフセット回数入力部５５−６に入出力装置２の入力デバイスを用いてそれぞれ入力する。注目すべきは、このように中古のリモコンリレー１０５に交換した場合に当該中古のリモコンリレー１０５における実行済みの制御回数をオフセット回数入力部５５−６から入力し、制御回数の積算の初期値としてリレー寿命管理サーバ１に登録することができることである。
【００４７】
なお、施工者の手間を省く観点から、警告余裕回数（回数）及び警告余裕回数（％）は、何れか一方が入力された場合に他方を入出力装置２が演算して入出力装置２自身が入力するように構成してもよく、また、計測開始年月日は、このリレー寿命管理データ入力画面５３を表示した当日の年月日を入出力装置２自身が入力するように構成してもよい。
【００４８】
施工者は、入力したデータを修正する場合は、上書きし、また、入力したデータを入出力装置２に保持させる場合は、「更新」ボタン５４−６を入出力装置２の入力デバイスで操作する。入出力装置２は、「更新」ボタン５４−６が操作されると、上記各入力部５５−１〜５５−６に入力されたデータを保持する。
【００４９】
施工者は、リレー寿命管理サーバ１に管理させたい他のリモコンリレー１０５の各データを入力する場合には、「新規入力」ボタン５４−４を入出力装置２の入力デバイスで操作する。入出力装置２は、「新規入力」ボタン５４−４が操作されると、上記各入力部５５−１〜５５−６に入力されたデータを消去し、新たなデータの入力を受付け可能とする。
【００５０】
施工者は、リレー寿命管理サーバ１に管理させたい総てのリモコンリレー１０５の各データを入力し、これら各データをリレー寿命監視サーバ１に登録する場合には、「入力データ送信」ボタン５４−７を入出力装置２の入力デバイスで操作する。入出力装置２は、「入力データ送信」ボタン５４−７が操作されると、保持している各リモコンリレー１０５の各データの総てを第１のネットワーク４を介してリレー寿命管理サーバ１に送信する。
【００５１】
リレー寿命管理サーバ１は、この各リモコンリレー１０５の各データを含みこれらデータの登録を指示する信号を受信すると、その中央処理部１１のウェブ処理部１１２は、各リモコンリレー１０５に対応するリレー制御履歴データベース２０を作成すると共に、リレー寿命管理データベース３０に各リモコンリレー１０５に対応するレコードを追加作成して各フィールドにそれぞれ対応するデータを登録する。制御積算回数フィールド３２には、オフセット回数が登録される。ウェブ処理部１１２は、請求項の初期値設定部及び寿命設定部として機能している。
【００５２】
このように入出力装置２及びリレー寿命管理サーバ１が動作することによって、リレー寿命管理サーバ１が管理すべきリモコンリレー１０５の各データがリレー寿命管理サーバ１に登録される。そして、リモコンリレー１０５に使用済みの中古のリモコンリレー１０５を使用する場合でも、オフセット回数をリレー寿命管理サーバ１に登録することができるので、リレー寿命管理サーバ１は、正確に寿命の到来を判定することができる。また、警告余裕回数を寿命回数とは別個にリレー寿命管理サーバ１に登録することができるので、リレー寿命管理サーバ１は、寿命時期の到来が近いことをユーザに知らせる寿命予告と寿命時期の到来とを同時に報知することができる。
【００５３】
次に、リレー寿命管理サーバ１がリモコンリレー１０５の寿命を管理する場合について説明する。図８は、リモコンリレーの寿命を管理する場合におけるリレー寿命管理サーバの動作を示すフローチャートである。
【００５４】
図８において、第２のネットワーク５から第１通信インタフェース部１２で信号を受信すると（Ｓ１１）、リレー寿命管理サーバ１の中央処理部１１におけるＲｙ寿命管理処理部１１１は、この受信した信号が制御信号であるか否かを判断する（Ｓ１２）。この処理Ｓ１２における判断は、例えば、受信した信号のモードデータ信号ＭＤが制御モードを示しているか否かを判別することによって実行することができる。なお、伝送ユニット１０１が第２のネットワークに送信する図２を用いて説明した信号は、第２のネットワーク全体に伝送するので、リレー寿命管理サーバ１は、伝送ユニット１０１がリモコンリレー１０５を制御すべくＴ／Ｕ１０２に送信した信号を受信することができる。
【００５５】
処理Ｓ１２における判断の結果、制御信号ではない場合（ＮＯ）には、Ｒｙ寿命管理処理部１１１は、この受信した信号を破棄し（Ｓ１４）、処理を終了する。一方、処理Ｓ１２における判断の結果、制御信号である場合（ＹＥＳ）には、Ｒｙ寿命管理処理部１１１は、この受信した信号に対応するリモコンリレー１０５の制御積算回数を更新し（Ｓ１３）、処理を終了する。この制御積算回数の更新をより具体的に説明すると次のようである。Ｒｙ寿命管理処理部１１１は、この受信した信号におけるアドレスデータ信号ＡＤから制御対象の負荷アドレスを取り出し、この取り出した負荷アドレスに対応するリレー制御履歴データベース２０を選択する。次に、Ｒｙ寿命管理処理部１１１は、この選択したリレー制御履歴データベース２０に新たなレコードを追加し、この追加したレコードの制御年月日フィールド２２にカレンダ部１１３より取得した年月日を登録し、この追加したレコードの制御時分フィールド２３にカレンダ部１１３より取得した時分を登録し、そして、この追加したレコードに対し直前のレコードの制御積算回数フィールド２４に登録されている制御積算回数に１を加えた値をこの追加したレコードの制御積算回数フィールド２４に登録する。次に、Ｒｙ寿命管理処理部１１１は、この受信した信号から取り出した負荷アドレスに対応するリレー寿命管理データベース３０のレコードを選択する。次に、Ｒｙ寿命管理処理部１１１は、この選択したレコードの制御積算回数フィールド３２に登録されている制御積算回数に１を加えて制御積算回数を更新する。このようにＲｙ寿命管理処理部１１１は、制御回数積算部として機能している。
【００５６】
このように動作することによってリレー寿命管理サーバ１は、第２のネットワークを伝送する制御信号を監視することによって、リモコンリレー１０５の制御履歴をリレー制御履歴データベース２０にリモコンリレー１０５ごとに蓄積することができ、そして、リモコンリレー１０５の制御積算回数をリレー寿命管理データベース３０にリモコンリレー１０５ごとに蓄積することができる。
【００５７】
次に、監視制御システム３のユーザ等がリモコンリレー１０５の寿命に関するデータを閲覧する場合について説明する。
【００５８】
施工者は、入出力装置２のウェブブラウザを起動し、リレー寿命管理サーバ１が提供するリレー寿命管理のホームページにおけるＵＲＬを入出力装置２に入力してリレー寿命管理メニュー画面４０を表示させる。そして、リモコンリレー１０５の寿命に関するデータを閲覧すべく、「データ表示」ボタン４４−２を入出力装置２の入力デバイスを用いて操作する。
【００５９】
「データ表示」ボタン４４−２が操作されると、入出力装置２は、リレー寿命管理データ表示画面のウェブページファイルを要求する信号（データ表示要求信号）をリレー寿命管理サーバ１に送信する。
【００６０】
図９は、リモコンリレーの寿命に関するデータを閲覧する場合におけるリレー寿命管理サーバの動作を示すフローチャートである。図９において、このデータ表示要求信号を受信すると（Ｓ２１）、リレー寿命管理サーバ１の中央処理部１１におけるウェブ処理部１１２は、リレー寿命管理データ表示画面に対応するウェブページファイルを作成すべく、まず、各リモコンリレー１０５の開閉状況をそれぞれ計算する（Ｓ２２）。より具体的には、ウェブ処理部１１２は、リレー寿命管理データベース３０における制御積算回数フィールド３２の制御積算回数と寿命回数フィールド３３の寿命回数とを用いて、（（制御積算回数）／（寿命回数））×１００を計算することよって、リモコンリレー１０５（負荷アドレス）ごとに、開閉状況（％）を計算する。
【００６１】
次に、ウェブ処理部１１２は、各リモコンリレー１０５の予測寿命年月日をそれぞれ計算する（Ｓ２３）。より具体的には、ウェブ処理部１１２は、リレー制御履歴データベース２０の制御年月日フィールド２２の制御年月日と制御積算回数フィールド２４の制御積算回数とを用いて、時間ｔと制御積算回数ｓ（ｔ）との間における特性関数をリモコンリレー１０５（負荷アドレス）ごとに求める。即ち、ウェブ処理部１１２は、例えば最小二乗法等によって、ｓ（ｔ）＝ａ×ｔ＋ｂをリモコンリレー１０５ごとに求める。但し、ａ、ｂは、定数である。そして、ウェブ処理部１１２は、リレー寿命管理データベース３０における寿命回数フィールド３３の寿命回数をこの求めた特性関数のｓ（ｔ）に代入することによって、予測寿命年月日ｔをリモコンリレー１０５ごとに求める。
【００６２】
次に、ウェブ処理部１１２は、各リモコンリレー１０５の寿命予告時期に到来したか否かを判定する（Ｓ２４）。より具体的には、ウェブ処理部１１２は、リレー寿命管理データベース３０における制御積算回数フィールド３２の制御積算回数と寿命回数フィールド３３の寿命回数と警告余裕回数フィールド３４、３５の警告余裕回数とを用いて、（（寿命回数）−（警告余裕回数））＝（寿命予告回数）を計算し、制御積算回数がこの計算結果（寿命予告回数）以上であるか否かを判定することよって、リモコンリレー１０５（負荷アドレス）ごとに、寿命予告時期に到来したか否かを判定する。この判定は、制御積算回数がこの計算結果以上である場合には、寿命予告時期に到来したと判定され、制御積算回数がこの計算結果未満である場合には、寿命予告時期に到来していないと判定される。このようにウェブ処理部１１２は、寿命予告判定部として機能している。
【００６３】
次に、ウェブ処理部１１２は、各リモコンリレー１０５の寿命時期に到来したか否かを判定する（Ｓ２５）。より具体的には、ウェブ処理部１１２は、リレー寿命管理データベース３０における制御積算回数フィールド３２の制御積算回数と寿命回数フィールド３３の寿命回数とを用いて、制御積算回数が寿命回数以上であるか否かを判定することよって、リモコンリレー１０５（負荷アドレス）ごとに、寿命時期に到来したか否かを判定する。この判定は、制御積算回数が寿命回数以上である場合には、寿命時期に到来したと判定され、制御積算回数が寿命回数未満である場合には、寿命時期に到来していないと判定される。このようにウェブ処理部１１２は、寿命判定部として機能している。
【００６４】
次に、ウェブ処理部１１２は、リレー寿命管理データベース３０の各フィールドに登録されているデータ、処理Ｓ２２で求めた開閉状況のデータ、処理Ｓ２３で求めた予測寿命年月日のデータ、処理Ｓ２４の寿命警告時期到来の判定結果、及び、処理Ｓ２５の寿命時期到来の判定結果を用いて後述のリレー寿命管理データ表示画面のウェブページファイルを作成する（Ｓ２６）。
【００６５】
そして、ウェブ処理部１１２は、この作成したリレー寿命管理データ表示画面のウェブページファイルを入出力装置２に返信する（Ｓ２７）。ウェブページファイルを受信すると、入出力装置２は、リレー寿命管理データ表示画面を表示する。
【００６６】
図１０は、リレー寿命管理データ表示画面の構成を示す図である。このリレー寿命管理データ表示画面は、リレー寿命管理サーバ１が管理しているリモコンリレー１０５の寿命に関するデータを表示するためのウェブページ画面である。リレー寿命管理データ表示画面６０は、例えば、図１０に示すように、メニューバー６１と、アドレスバー６２と、本画面のタイトル（例えば“リレー寿命管理データ表示”）を表示するタイトル部６３と、リレー寿命管理メニュー画面４０を入出力装置２に表示させる指示を入力する指示入力部である「メニュー」ボタン６４と、リモコンリレー１０５の寿命に関するデータを表示するリレー寿命管理データ表６５と、このリレー寿命管理データ表６５をスクロールするためのスクロールバー６６とを備えて構成される。
【００６７】
リレー寿命管理データ表６５は、例えば、負荷アドレス表示欄６５−１と、開閉状況表示欄６５−２と、積算回数表示欄６５−３と、寿命表示欄６５−４と、予測寿命年月日表示欄６５−５と、寿命回数表示欄６５−６と、警告余裕回数表示欄６５−７と、計測開始年月日表示欄６５−８と、動作確認指示表示欄６５−９と、グラフ表示指示欄６５−１０とを備えて構成される。
【００６８】
負荷アドレス表示欄６５−１は、負荷アドレスを表示するための欄である。ウェブ処理部１１２は、リレー寿命管理データベース３０の負荷アドレスフィールド３１に登録されているデータが負荷アドレス表示欄６５−１に表示されるように、上記処理Ｓ２６においてウェブページファイルを作成する。
【００６９】
開閉状況表示欄６５−２は、開閉状況、寿命予告時期の到来及び寿命時期の到来を表示するための欄である。ウェブ処理部１１２は、上記処理Ｓ２２で計算した開閉状況、上記処理Ｓ２４で判定した寿命予告時期の到来又は未到来、及び、上記処理Ｓ２５で判定した寿命時期の到来又は未到来が開閉状況表示欄６５−２に表示されるように、上記処理Ｓ２６においてウェブページファイルを作成する。開閉状況は、本実施形態では、数値で表示される。寿命警告時期の到来及び寿命時期の到来は、これらの未到来及び到来に応じて開閉状況の表示色を変化させることによって表示される。例えば、寿命警告時期の未到来は、開閉状況を緑で表示することによって表され、寿命警告時期の到来は、開閉状況を橙で表示することによって表され、そして、寿命時期の到来は、開閉状況を赤で表示することによって表される。
【００７０】
積算回数表示欄６５−３は、制御積算回数を表示するための欄である。ウェブ処理部１１２は、リレー寿命管理データベース３０の制御積算回数フィールド３２に登録されているデータが積算回数表示欄６５−２に表示されるように、上記処理Ｓ２６においてウェブページファイルを作成する。
【００７１】
寿命表示欄６５−４は、寿命を表示するための欄である。ウェブ処理部１１２は、処理Ｓ２５で判定した結果に応じて稼動又は寿命が寿命表示欄６５−４に表示されるように、上記処理Ｓ２６においてウェブページファイルを作成する。
【００７２】
予測寿命年月日表示欄６５−５は、予測寿命年月日を表示するための欄である。ウェブ処理部１１２は、上記処理Ｓ２３で計算した予測寿命年月日が予測寿命年月日表示欄６５−５に表示されるように、上記処理Ｓ２６においてウェブページファイルを作成する。
【００７３】
寿命回数表示欄６５−６は、寿命回数を表示するための欄である。ウェブ処理部１１２は、リレー寿命管理データベース３０の寿命回数フィールド３３に登録されているデータが寿命回数表示欄６５−６に表示されるように、上記処理Ｓ２６においてウェブページファイルを作成する。
【００７４】
警告余裕回数表示欄６５−７は、警告余裕回数（回数）及び警告余裕回数（％）を表示するための欄である。ウェブ処理部１１２は、リレー寿命管理データベース３０の警告余裕回数（回数）フィールド３４及び警告余裕回数（％）フィールド３５に登録されている各データが警告余裕回数表示欄６５−７に表示されるように、上記処理Ｓ２６においてウェブページファイルを作成する。
【００７５】
計測開始年月日表示欄６５−８は、計測開始年月日を表示するための欄である。ウェブ処理部１１２は、リレー寿命管理データベース３０の計測開始年月日フィールド３６に登録されているデータが計測開始年月日表示欄６５−８に表示されるように、上記処理Ｓ２６においてウェブページファイルを作成する。
【００７６】
動作確認指示表示欄６５−９は、リモコンリレー１０５の動作確認をリレー寿命管理サーバ１に行わせる指示を入出力装置２を介してリレー寿命管理サーバ１に入力する指示入力部であると共に、動作確認結果を表示する表示欄でもある「実行」ボタン７１を備えて構成される。「実行」ボタン７１は、リモコンリレー１０５の動作確認の結果、動作可能である場合にはその旨を表す「ＯＫ」を表示し、動作不能である場合にはその旨を表す「ＥＸＣ」を表示する。
【００７７】
グラフ表示指示欄６５−１０は、個別リレー寿命管理データグラフ表示画面７０を入出力装置２に表示させる指示を入力する指示入力部である「表示」ボタン７２を備えて構成される。
【００７８】
このようにウェブ処理部１１２は、提示部として機能している。
【００７９】
このようなリレー寿命管理データ表６５を備えたリレー寿命管理データ表示画面６０が入出力装置２に表示されるので、監視制御システム３のユーザは、この開閉状況表示欄６５−２を参照することによって寿命予告時期及び寿命時期に達したリモコンリレー１０５を認識することができる。このため、ユーザは、必要に応じてリモコンリレー１０５を新規のリモコンリレー１０５に交換することができ、より確実に照明機器１０６を制御することができるから、監視制御システム３の信頼性を向上することができる。そして、ユーザは、この寿命表示欄６５−４を参照することによってより明瞭にリモコンリレー１０５が寿命に達したことを認識することができる。
【００８０】
また、ユーザは、動作確認指示表示欄６５−９を利用することによって、リモコンリレー１０５の動作確認を遠隔に実行し、動作確認結果を得ることができる。
【００８１】
即ち、ユーザが「実行」ボタン７１を入出力装置２の入力デバイスによって操作すると、入出力装置２は、「実行」ボタン７１が操作された行における負荷アドレス表示欄６５−１に表示されている負荷アドレスを含み、リモコンリレー１０５の動作確認をリレー寿命管理サーバ１に要求する信号を送信する。
【００８２】
この信号を受信すると、リレー寿命管理サーバ１の中央処理部１１におけるウェブ処理部１１２は、この受信した信号から取り出した負荷アドレスを宛先とする制御信号を生成して第２のネットワークに送信する。Ｔ／Ｕ１０２は、この制御信号を受信すると負荷アドレスに対応するリモコンリレー１０５を制御し、その制御結果を第２のネットワークに送信する。この制御結果をリレー寿命管理サーバ１は、第２のネットワークから受信し、ウェブ処理部１１２は、この制御結果からリモコンリレー１０５が動作可能であるか否かを判断する。そして、ウェブ処理部１１２は、リモコンリレー１０５の動作確認結果を入出力装置２に返信する。この返信を受信すると、入出力装置２は、動作確認指示表示欄６５−９に動作確認結果を表示する。
【００８３】
このため、ユーザは、リモコンリレー１０５を現実の寿命限界まで使用することができ、効率的にリモコンリレー１０５を利用することができる。そして、リレー寿命管理データベース３０の寿命回数フィールド３３に登録する寿命回数をリモコンリレー１０５の現実の寿命限界を参考に設定することによって、リレー寿命管理サーバ１によってより的確なリモコンリレー１０５の寿命を管理することができる。
【００８４】
また、ユーザは、グラフ表示指示欄６５−１０を利用することによって、リモコンリレー１０５の制御履歴を視覚的に知ることができる。
【００８５】
即ち、ユーザが「表示」ボタン７２を入出力装置２の入力デバイスによって操作すると、入出力装置２は、「表示」ボタン７２が操作された行における負荷アドレス表示欄６５−１に表示されている負荷アドレスを含み、個別リレー寿命管理データグラフ表示画面のウェブページファイルを要求する信号（グラフ表示要求信号）をリレー寿命管理サーバ１に送信する。
【００８６】
このグラフ表示要求信号を受信すると、リレー寿命管理サーバ１の中央処理部１１におけるウェブ処理部１１２は、この受信したグラフ表示要求信号に含まれる負荷アドレスに対応するリレー制御履歴データベース２０を抽出し、上記処理Ｓ２３と同様に時間ｔと制御積算回数ｓ（ｔ）との間における特性関数を求め、リモコンリレー１０５における制御積算回数の時間変化及び予測時間変化のグラフを作成し、個別リレー寿命管理データグラフ表示画面に対応するウェブページファイルを作成する。そして、ウェブ処理部１１２は、この作成した個別リレー寿命管理データグラフ表示画面のウェブページファイルを入出力装置２に返信する。ウェブページファイルを受信すると、入出力装置２は、個別リレー寿命管理データグラフ表示画面を表示する。
【００８７】
図１１は、個別リレー寿命管理データグラフ表示画面の構成を示す図である。この個別リレー寿命管理データグラフ表示画面は、リモコンリレー１０５における制御積算回数の時間変化及び予測時間変化のグラフを表示するためのウェブページ画面である。個別リレー寿命管理データグラフ表示画面７０は、例えば、図１１に示すように、メニューバー７１と、アドレスバー７２と、本画面のタイトル（例えば“個別リレー寿命管理データグラフ表示”）を表示するタイトル部７３と、リレー寿命管理データベースメニュー画面４０を入出力装置２に表示させる指示を入力する指示入力部である「メニュー」ボタン７４と、表示対象となっているリモコンリレー１０５を特定するために当該リモコンリレー１０５に対応する負荷アドレスを表示する負荷アドレス表示部７５と、リモコンリレー１０５における制御積算回数の時間変化及び予測時間変化のグラフを表示するグラフ表示部７６とを備えて構成される。グラフの横軸は、時間であり、縦軸は、制御積算回数である。グラフにおける実線が制御積算回数の時間変化（実績）であり、破線が制御積算回数の予測時間変化（特性関数）である。
【００８８】
なお、上記実施形態では、開閉状況は、開閉状況表示欄６５−２に数値で表示したが、棒グラフ等によって表示してもよいし、あるいは、数値と棒グラフとを併用してもよい。また、本実施形態では、寿命予告時期の到来及び寿命時期の到来は、開閉状況の表示色で表示したが、寿命予告時期及び寿命時期の未到来及び到来に応じて相互に異なるシンボル（記号）等によって表示してもよい。
【００８９】
また、上記実施形態では、Ｔ／Ｕ１０２とリモコンリレー１０５とは、別体で構成したが、一体に構成してもよい。
【００９０】
さらに、上記実施形態では、リレー寿命管理サーバ１は、監視制御システム３から直接的に制御信号を取得してリレー制御履歴データベース２０及びリレー寿命管理データベース３０にデータを登録したが、監視制御システム３から間接的に制御信号に関するデータを取得してリレー制御履歴データベース２０及びリレー寿命管理データベース３０にデータを登録するように構成してもよい。
【００９１】
図１２は、他のリレー寿命管理システムの構成を示す図である。このようなリレー寿命管理システムＢは、例えば、図１２に示すように、リレー寿命管理サーバ１’と、入出力装置２と、１又は複数の監視制御システム３と、第１のネットワーク４と、中継器７と、監視制御システム３に対応して設けられたデータ収集器８とを備える。
【００９２】
各監視制御システム３と各データ収集器８との間は、第２のネットワーク５でそれぞれ通信可能に接続され、データ収集器８間及び中継器７とデータ収集器８との間は、例えばＲＳ４８５等のシリアル伝送通信線でそれぞれ通信可能に接続され、中継器７とリレー寿命管理サーバ１との間は、例えばＲＳ２３２Ｃ等のシリアル伝送通信線で通信可能に接続される。各データ収集器８は、ディージーチェーンで接続される。
【００９３】
データ収集器８は、監視制御システム３に第２のネットワーク５で接続し、監視制御システム３から制御信号を取得してリレー制御履歴データベースを生成すると共にリレー制御履歴データベースのデータを他のデータ収集器８及び中継器７を介してリレー寿命管理サーバ１’に送信する。中継器７は、リレー寿命管理サーバ１’の信号をデータ収集器８に転送すると共に、データ収集器８の信号をリレー寿命管理サーバ１’に転送する。
【００９４】
このような構成のリレー寿命管理システムＢでは、各データ収集器８は、他のデータ収集器８とは独立的に、自機に対応する監視制御システム３から制御信号を受信し、この受信した制御信号に基づくデータをリレー管理履歴データベースに追加し更新し生成していく。
【００９５】
リレー寿命管理サーバ１’は、中継器７を介して例えばポーリングによって順にデータ収集器８にアクセスし、蓄積しているるリレー制御履歴データベースのデータを収集する。そして、リレー寿命管理サーバ１’は、この収集したデータをリレー制御履歴データベース２０に登録すると共に、リレー寿命管理データベース３０にデータを登録する。
【００９６】
このようにリレー寿命管理サーバ１’を中継器７及びデータ収集器８を介してリレー制御履歴データベース２０に登録すべきデータを収集する点を除きリレー寿命管理サーバ１と同様に構成することによって、リレー寿命管理サーバ１’は、複数の監視制御システム３におけるリモコンリレー１２の寿命を管理することができる。
【００９７】
また、上記実施形態では、寿命時期の到来を入出力装置２に表示するように構成したが、例えば、寿命表示用の照明機器、この寿命表示用の照明機器への通電をオンオフ制御するリモコンリレー１０５、及び、このリモコンリレー１０５を駆動するＴ／Ｕ１０２をさらに監視制御システム３に設け、寿命時期の到来をこの寿命表示用の照明機器を用いて表示するように構成してもよい。このような場合、例えば、Ｒｙ寿命管理処理部１１１は、図８に破線で示すように、処理Ｓ１３に続けて、この受信した信号から取り出した負荷アドレスに対応するリレー寿命管理データベース３０のレコードにおける、制御積算回数フィールド３２の制御積算回数と、寿命回数フィールド３３の寿命回数とを比較することによって、更新した制御積算回数が寿命回数以上であるか否かを判断する（Ｓ１５）。この処理Ｓ１５における判断の結果、制御積算回数が寿命回数未満である場合（Ｎｏ）には、Ｒｙ寿命管理処理部１１１は、処理を終了し、一方、制御積算回数が寿命回数以上である場合（Ｙｅｓ）には、Ｒｙ寿命管理処理部１１１は、寿命時期の到来を寿命表示用の照明機器に表示を行って（Ｓ１６）、処理を終了する。より具体的には、Ｒｙ寿命管理処理部１１１は、この受信した信号から取り出した負荷アドレスに対応するリモコンリレー１０５の寿命時期を表示する寿命表示用の照明機器への通電をオンオフ制御するリモコンリレー１０５を駆動する。これによって通電がオンされ、寿命表示用の照明機器により寿命時期の到来が表示される。
【図面の簡単な説明】
【００９８】
【図１】実施形態に係るリレー寿命管理システムの構成を示す図である。
【図２】第２のネットワークにおける信号の波形図である。
【図３】実施形態に係るリレー寿命管理サーバの構成を示すブロック図である。
【図４】リレー制御履歴データベースの構成を示す図である。
【図５】リレー寿命管理データベースの構成を示す図である。
【図６】リレー寿命管理メニュー画面の構成を示す図である。
【図７】リレー寿命管理データ入力画面の構成を示す図である。
【図８】リモコンリレーの寿命を管理する場合におけるリレー寿命管理サーバの動作を示すフローチャートである。
【図９】リモコンリレーの寿命に関するデータを閲覧する場合におけるリレー寿命管理サーバの動作を示すフローチャートである。
【図１０】リレー寿命管理データ表示画面の構成を示す図である。
【図１１】個別リレー寿命管理データグラフ表示画面の構成を示す図である。
【図１２】他のリレー寿命管理システムの構成を示す図である。
【符号の説明】
【００９９】
Ａ、Ｂ  監視制御システム
１、１’  リレー寿命管理サーバ
２  入出力装置
３  監視制御システム
４  第１のネットワーク
５  第２のネットワーク
１１  中央処理部
１２  第１通信インタフェース部
１５  補助記憶部
１６  第２通信インタフェース部
２０  リレー制御履歴データベース
３０  リレー寿命管理データベース
６０  リレー寿命管理データ表示画面
７０  個別リレー寿命管理データグラフ表示画面
１０１  伝送ユニット
１０２  ターミナルユニット
１０３  スイッチユニット
１０５  リモコンリレー
１０６  照明機器
１１１  リレー寿命管理処理部
１１２  ウェブ処理部
１１３  カレンダ部
１１４  グラフ作成部
１１５  ＣＳＶファイル作成部
１５１  リレー制御履歴データベース記憶部
１５２  リレー寿命管理データベース記憶部
１５３  ウェブページ記憶部
【図１】
2006253010.tif 000003
【図２】
2006253010.tif 000004
【図３】
2006253010.tif 000005
【図４】
2006253010.tif 000006
【図５】
2006253010.tif 000007
【図６】
2006253010.tif 000008
【図７】
2006253010.tif 000009
【図８】
2006253010.tif 000010
【図９】
2006253010.tif 000011
【図１０】
2006253010.tif 000012
【図１１】
2006253010.tif 000013
【図１２】
2006253010.tif 000014